(57)【要約】本発明による排水口用異物濾過膜は、少なくとも２つ以上の貫通ホールを含む本体部と、前記本体部の中心部から遠くなるように前記本体部の外周縁から延長して突出された把持部とを含み、前記把持部の長さは、前記本体部の幅より少なくとも１／２倍以上のフィルムタイプで構成し、排水口ソケットに挿入された濾過膜にかかっている髪の毛などの異物を手で把持せずに、濾過膜の把持部を容易に把持することができる。これにより、本発明は、衛生上良くなく且つユーザに不快感を誘発する問題点を解決し、低価の排水口用濾過膜を提供することによって、ユーザが濾過膜を排水口ソケットから分離した後、濾過膜上の異物を手で把持し、異物を濾過構造から分離させる必要がなく、異物が付いている濾過膜を一緒に捨てるようにして、使用上の便利性を向上させることができるという効果がある。
2011514460.tif 000002
【特許請求の範囲】
【請求項１】
少なくとも２つ以上の貫通ホールを含む本体部と、
前記本体部の中心部から遠くなるように、前記本体部の外周縁から延長して突出された把持部と、を含み、
前記把持部の長さは、前記本体部の幅より少なくとも１／２倍以上であることを特徴とする排水口用異物濾過膜。
【請求項２】
少なくとも２つ以上の貫通ホールと、前記貫通ホールによって区画される格子窓部とを含む本体部と、
前記格子窓部のうち前記本体部の中心に対応する格子窓部から延長し、前記本体部の中心部から遠くなるように突出され、且つ前記本体部の外周縁に対応する格子窓部から離隔される把持部と、を含むことを特徴とする排水口用異物濾過膜。
【請求項３】
前記本体部と前記把持部とは、一体型よりなることを特徴とする請求項１及び２に記載の排水口用異物濾過膜。
【請求項４】
前記把持部は、前記本体部と当接する領域に切欠、凹溝、及び孔のうちいずれか1つ以上で形成された折り曲げ部を含むことを特徴とする請求項１及び２に記載の排水口用異物濾過膜。
【請求項５】
前記把持部は、前記本体部の中心を基準として互いに反対方向に突出された一対よりなることを特徴とする請求項１及び２に記載の排水口用異物濾過膜。
【請求項６】
前記把持部は、前記本体部の中心を基準として互いに反対方向に突出された一対よりなり、前記一対の把持部は、前記本体部の中心を基準として相互対称となる領域であり、前記本体部の中心から遠い方向に締結部を各々含むことを特徴とする請求項１及び２に記載の排水口用異物濾過膜。
【請求項７】
前記把持部は、前記本体部の中心を基準として互いに反対方向に突出された一対よりなり、前記一対の把持部は、前記本体部の中心を基準として相互対称となる領域であり、前記本体部の中心から遠い方向に締結部を各々含み、前記締結部は、前記把持部の幅に対応して凹溝部または突出部であることを特徴とする請求項１及び２に記載の排水口用異物濾過膜。
【請求項８】
前記把持部は、前記本体部の中心を基準として互いに反対方向に突出された一対よりなり、前記一対の把持部は、前記本体部の中心を基準として相互対称となる領域であり、前記本体部の中心から遠い方向に締結部を各々含み、前記一対の把持部に各々含まれた前記締結部は、前記胴体部の中心を基準として時計方向または反時計方向の同一の方向に前記把持部上に各々形成されることを特徴とする請求項１及び２に記載の排水口用異物濾過膜。
【請求項９】
前記把持部の長さは、前記本体部の幅より大きく、前記本体部の幅の２倍より小さいかまたは同一であることを特徴とする請求項１に記載の排水口用異物濾過膜。
【請求項１０】
前記把持部の長さは、前記本体部の幅の１／２倍より小さいことを特徴とする請求項２に記載の排水口用異物濾過膜。
【発明の詳細な説明】
【技術分野】
【０００１】
本発明は、排水口を通じて排水路に異物が投入されることを防止するための濾過膜に関し、より詳細には、浴槽の底に構成された排水口ソケットに投入／設置され、浴槽の水に混入した異物を濾過し、異物が排水路に浸透することを防止するための濾過膜に関する。
【背景技術】
【０００２】
浴槽は、シャワーまたはお風呂に入るとき、ユーザの髪の毛などの異物が浴槽の排水口を通じて排水路に浸透することを防止するために、浴槽の排水口ソケットの底面は、水を通過させる貫通ホールを含み、髪の毛などの異物を濾過するための格子窓で構成された濾過部が構成されている。
【０００３】
また、浴槽用排水口は、浴槽に水が溜まることができるようにし、お風呂を終えた後、ユーザが浴槽に溜まった水を排水路を通じて排出するために、排水口用栓を含んでいる。
前述した従来技術による浴槽用排水口は、ユーザの髪の毛などの異物を濾過することによって、排水路が詰まる問題点を解決することはできるが、濾過部にかかっている髪の毛などの異物に起因して排水機能が低くなる問題点があり、これを克服するために、ユーザは、頻繁に排水口にかかっている髪の毛などの異物を手で把持し、異物を排水口から分離させなければならない。
【０００４】
この際、排水口の濾過部にかかっている髪の毛などの異物を手で把持することは、衛生上良くなく且つユーザに不快感を誘発するという問題点がある。
これを克服するために、特許文献１及び特許文献１の図４に記載された従来技術では、排水口ソケットに挿入及び分離が可能なプラスチックなどで構成された濾過部を使用してユーザが髪の毛などの異物を直接把持せずに、濾過部上に備えられた取っ手を把持し、異物を分離した後、さらに濾過部を排水口ソケットに挿入して使用する方法がある。
【０００５】
しかし、特許文献１及びその従来技術によれば、濾過部の取っ手を排水口の覆体の高さより低く形成しなければならないので、濾過部の取っ手の高さが低く、水またはせっけんなどが付いていて、ユーザが把持しにくいという問題点がある。
【０００６】
また、特許文献１及びその従来技術による濾過部は、格子窓のようなグリル形態で構成されていて、髪の毛などがもつれるようになり、濾過部から髪の毛などの異物を除去することが容易でないので、結局ユーザが濾過部を排水口ソケットから分離した後、濾過部上の異物を手で把持し、異物を濾過部から分離させなければならないので、衛生上良くなく且つユーザに不快感を誘発する問題点を解決しにくい。
【０００７】
また、特許文献１及びその従来技術による濾過部は、再使用しなければならないので、濾過部から異物を除去した後、洗浄しなればならないという不便がある。
また、特許文献１及びその従来技術による濾過部を再使用することなく、使い捨てを使用する場合には、プラスチック射出によって成形された濾過部が高価であるという短所がある。
【０００８】
特許文献２には、特許文献１及び特許文献１に記載された従来技術の問題点を解決する手段として、穿孔部を含むフィルムの一面に接着性物質が塗布されているステッカー型使い捨て濾過膜が記載されている。
【０００９】
しかし、特許文献２による使い捨て濾過膜は、使用前に排水口に濾過膜を接着させ、お風呂及びシャワーを完了した後、排水口に接着された濾過膜を除去する方式で使用するが、使用する環境が水が多く、水の流動が多いため、濾過膜の接着力が弱くなり、これによって、お風呂またはシャワーの途中に濾過膜の接着が解除されるという問題点がある。
【００１０】
また、特許文献２による使い捨て濾過膜は、使用前に排水口に濾過膜を接着させなければならないので、接着前の排水口に水分があってはならないし、このために、ユーザは、一般的に水分が多く付いている排水口を拭かなければならないという不便がある。
【００１１】
また、特許文献２による使い捨て濾過膜は、使用しようとする排水口が平たい場合には可能であるが、浴槽用排水口のように凹設された排水口ソケットまたは凹凸が多い排水口では、使用が不便であるか、または接着力が小さくなって、使用中に排水口から離脱されるという問題点がある。
【先行技術文献】
【特許文献】
【００１２】
【特許文献１】大韓民国特許公開１０−２００４−００８６２２９号公報
【特許文献２】大韓民国実用新案登録２０−０３０８５７６号号公報
【発明の概要】
【発明が解決しようとする課題】
【００１３】
本発明は、前述のような従来技術による問題点を解決するためになされたもので、その目的は、排水口ソケットに挿入する濾過構造において、排水口の濾過構造にかかっている髪の毛などの異物を手で把持せずに、濾過構造の取っ手を容易に把持することができるようにして、衛生上良くなく且つユーザに不快感を誘発するという問題点を解決することにある。
【００１４】
本発明の他の目的は、排水口ソケットに挿入する濾過構造において、ユーザが濾過構造を排水口ソケットから分離した後、濾過構造上の異物を手で把持し、異物を濾過構造から分離させ、洗浄した後、再使用しなければならないという問題点を解決することにある。
【課題を解決するための手段】
【００１５】
上記目的を達成するために、本発明の一実施例による排水口用異物濾過膜は、少なくとも２つ以上の貫通ホールを含む本体部と、前記本体部の中心部から遠くなるように、前記本体部の外周縁から延長して突出された把持部と、を含み、前記把持部の長さは、前記本体部の幅より少なくとも１／２倍以上であることを特徴とする。
【００１６】
本発明の他の実施例による排水口用異物濾過膜は、少なくとも２つ以上の貫通ホール及び前記貫通ホールによって区画される格子窓部を含む本体部と、前記格子窓部のうち前記本体部の中心に対応する格子窓部から延長し、前記本体部の中心部から遠くなるように突出され、且つ前記本体部の外周縁に対応する格子窓部から離隔される把持部と、を含むことを特徴とする。
【００１７】
また、前記本体部と前記把持部とは、一体型よりなることが好ましい。
また、前記把持部は、前記本体部と当接する領域に切欠、凹溝及び孔のうちいずれか1つ以上で形成された折り曲げ部を含むことが好ましい。
【００１８】
また、前記把持部は、前記本体部を基準として互いに反対方向に突出された一対よりなることが好ましい。
また、前記排水口用異物濾過膜は、前記一対の把持部は、前記本体部の中心を基準として相互対称となる領域であり、前記本体部の中心から遠い方向に締結部を各々含むことが好ましい。
【００１９】
また、前記締結部は、前記把持部の幅に対応して凹溝部または突出部であることが好ましい。
また、前記一対の把持部に各々含まれた前記締結部は、前記本体部の中心を基準として時計方向または反時計方向の同一の方向に前記把持部上に各々形成されることが好ましい。
【００２０】
また、前記一実施例による排水口用異物濾過膜において、前記把持部の長さは、前記本体部の幅より大きく、前記本体部の幅の２倍より小さいかまたは同一であることが好ましい。
【００２１】
また、前記他の実施例による排水口用異物濾過膜において、前記把持部の長さは、前記本体部の幅の１／２倍より小さいことが好ましい。
【発明の効果】
【００２２】
本発明によれば、排水口ソケットに挿入された濾過膜にかかっている髪の毛などの異物を手で把持せずに、濾過膜の把持部を容易に把持することができる排水口用濾過膜を提供することによって、衛生上良くなく且つユーザに不快感を誘発する問題点を解決する効果がある。
【００２３】
また、本発明によれば、低価の排水口用濾過膜を提供することによって、ユーザが濾過膜を排水口ソケットから分離した後、濾過膜上の異物を手で把持し、異物を濾過構造から分離させる必要がなく、異物が付いている濾過膜を一緒に捨てるようにして、使用上の便利性を向上させることができる効果がある。
【図面の簡単な説明】
【００２４】
【図１】本発明の第１実施例による異物濾過膜の平面図である。
【図２】本発明の第２実施例による異物濾過膜の平面図である。
【図３】本発明の第３実施例による異物濾過膜の平面図である。
【図４】本発明の第４実施例による異物濾過膜の平面図である。
【図５】図３に示す本発明の第３実施例による異物濾過膜の把持部を締結した斜視図である。
【図６】図４に示す本発明の第４実施例による異物濾過膜の把持部を締結した斜視図である。
【図７】本発明の実施例による異物濾過膜を排水口に挿入する過程を示す斜視図である。
【図８】本発明の実施例による異物濾過膜を束にしてケースに挿入した形状を示す斜視図である。
【図９】本発明の実施例による異物濾過膜を製作するための異物濾過膜の製造装置を示す図である。
【図１０】本発明の他の実施例による異物濾過膜を製作するための異物濾過膜の製造装置を示す図である。
【符号の説明】
【００２５】
１００、２００、３００、４００  濾過膜
１１０、２１０、３１０、４１０  本体部
１２０、２２０、２３０、３２０、３３０、４２０、４３０  把持部
２２３、２３３、３２３、３３３、４２３、４３２  締結部
１０００  束ケース、
２１１０、２１２０  第１プレス
２２１０、２２２０  第２プレス
【発明を実施するための形態】
【００２６】
本発明は、多様な変更を加えることができ、様々な実施例を有することができるところ、特定の実施例を図面に例示し、詳細な説明に詳細に説明しようとする。しかし、これは、本発明を特定の実施形態に限定しようとするものではなく、本発明の思想及び技術範囲に含まれるすべての変更、均等物乃至代替物を含むものと理解すべきである。各図面を説明するにあたって、同様の参照符号を同様の構成要素に対して使用した。
【００２７】
第１、第２などの用語は、多様な構成要素を説明するに使用されることができるが、前記構成要素は、前記用語によって限定されるわけではない。前記用語は、１つの構成要素を他の構成要素から区別する目的だけで使用される。例えば、本発明の権利範囲から逸脱することなく、第１構成要素は、第２構成要素として命名されることができ、同様に、第２構成要素も第１構成要素として命名されることができる。「及び／または」という用語は、複数の関連された記載項目の組合または複数の関連された記載項目のうちいずれかの項目を含む。
【００２８】
任意の構成要素が他の構成要素に「連結されて」いるか、「結合されて」いると言及されたときは、他の構成要素に直接的に連結されているか、または結合されていることもできるが、中間に他の構成要素が存在することもできると理解すべきである。一方、任意の構成要素が他の構成要素に「直接連結されて」いるか、「直接結合されて」いると言及されたときは、中間に他の構成要素が存在しないものと理解すべきである。
【００２９】
本出願において使用された用語は、ただ特定の実施例を説明するために使用されたものであって、本発明を限定しようとする意図ではない。単数の表現は、文脈上明白に異なるように意図しない限り、複数の表現を含む。本出願において、「含む」または「有する」などの用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたもの存在または付加可能性をあらかじめ排除しないものと理解すべきである。
【００３０】
本発明は、浴槽用排水口のソケットに挿入して使用する異物濾過膜に関し、水を通過させる貫通ホールを含む本体部と、排水口のソケットに挿入して使用した後、排水口のソケットから分離するために、前記本体部の外周縁から内側または外側に延長し、ユーザが前記本体部に対して折り曲げて把持するための把持部とを含む。
【００３１】
また、本発明による異物濾過膜は、フィルム形態で製作されることが好ましく、その材料としては、水の浸透によってその形状が変形されるか、強度が弱くならない材料を使用することが好ましく、特にＰＳ（polystyrene）、ＰＥ（polyethylene）、またはＰＥＴ（polyethylene terephthalate）などのポリマーを使用することがさらに好ましい。
【００３２】
また、本発明による異物濾過膜は、その材料として、内部に紙などの水分が浸透する材質を使用し、且つ外部をコーティングし、水分が内部材質に浸透することを防止するフィルム形態も可能である。
【００３３】
また、本発明による異物濾過膜は、排水口による排水時、または蛇口などから落下する水の衝撃または水の流れによって容易に曲がらない厚さで形成されることが好ましく、その厚さは、異物濾過膜に使用される材料によって各々変わることができる。
【００３４】
異物濾過膜の材質は、ＰＥＴであることがさらに好ましく、厚さは、１ｍｍ以下であることが好ましく、０．５ｍｍ以下且つ０．０１ｍｍ以上であることがさらに好ましい。
以下、本発明の異物濾過膜及びそれを製造するための製造装置に関する様々な実施例を、図面を参照して詳細に説明する。
【００３５】
図１乃至図７を参照して本発明の様々な実施例による異物濾過膜を説明する。
図１は、本発明の第１実施例による異物濾過膜を示す平面図である。
本発明の実施例による異物濾過膜１００は、異物を濾過する機能を行う本体部１１０と、異物濾過膜１００を排水口ソケットに挿入または分離するために、ユーザが容易に把持することができるようにするための把持部１２０とを含む。
【００３６】
本体部１１０は、前述した材料よりなるフィルム形態で構成され、本体部１１０に穿孔を形成し、液体を通過させる貫通ホール１１２を含む。
本体部のフレームを維持し、前記貫通ホール１１２によって定義される格子窓部１１１、１１３は、本発明による異物濾過膜１００を使用するとき、液体に含まれている髪の毛などの異物を濾過する機能を行う。
【００３７】
把持部１２０は、本体部１１０の外周縁に位置する格子窓部１１３の所定領域から延長し、本体部１１０の中心から反対方向に導出されて構成される。
また、本体部１１０の貫通ホール１１２は、少なくとも２つ以上を含み、好ましくは、放射状に配置され、６つ以上で構成され、その形状または個数は、その用途または審美的な目的などによって多様に変形可能であると言える。
【００３８】
また、本体部１１０の形状、すなわち本体部１１０の外周縁に位置する格子窓部１１３は、排水口ソケットの形状と同一に構成し、本体部１１０の幅Ｌｂ１は、排水口ソケットに容易に挿入及び分離し、且つ異物が外周縁に位置する格子窓部１１３と排水口ソケットとの間を通過しないように、排水口ソケットの内径、すなわち内部の幅より若干小さく形成することが好ましい。
【００３９】
また、把持部１２０は、ユーザが把持するための把持領域１２１と、本体部１１０に対して折り曲げやすいように、切欠、溝またはホールなどで構成された折り曲げ部１２２とを含むことが好ましい。
【００４０】
また、把持部１２０の長さＬｗ１は、ユーザが把持しやすいように、本体部１１０の幅Ｌｂ１の１／４倍より大きいかまたは同一であることが好ましく、把持部が排水口ソケットの高さよりずっと高く突出しないようにするために、本体部１１０の幅Ｌｂ１の１／２倍より大きいかまたは同一であり、２倍より小さいかまたは同一であることがさらに好ましい。
【００４１】
本発明の一実施例による異物濾過膜を排水口ソケットに挿入して使用するとき、排水時に、または蛇口などから落下する水の衝撃または水の流れによって異物濾過膜が排水口ソケットでひっくり返ることを防止するために、把持部１２０の長さＬｗ１は、排水口ソケットの内径より大きいか、または本体部１１０の幅Ｌｂ１より大きいことがさらに好ましい。
【００４２】
また、本発明の一実施例による異物濾過膜１００は、フィルム形態で構成されることによって、排水口ソケットの覆体によって把持部１２０が押圧されて曲げられることができるので、把持部１２０の長さＬｗ１は、排水口ソケットの深さより大きく形成することができるが、排水口ソケットの深さと排水口ソケットの内径の長さとを合わせた長さより大きい場合は、排水口ソケットの覆体を覆うとき、把持部が折り曲げられることができるので、可能であれば、把持部１２０の長さＬｗ１は、排水口ソケットの深さと排水口ソケットの内径の長さを合わせた長さより小さいかまたは同一であることが好ましい。したがって、排水口ソケットの規格は、国家ごとに異なることができるが、一般的に排水口ソケットの深さが排水口ソケットの内径の長さと同様なので、把持部の長さＬｗ１を本体部１１０の幅Ｌｂ１の２倍より小さいかまたは同一にすることが好ましい。
【００４３】
前記本体部１１０と把持部１２０は、その機能的特徴を区分して説明するために、各構成要素に区分して説明したが、１つのフィルムを加工して形成することによって、本体部１１０と把持部１２０が一体型で形成することがさらに好ましい。
【００４４】
図１を参照して説明した本発明の第１実施例による異物濾過膜１００は、本体部に対して一側に１つの把持部１２０が構成されていて、異物濾過膜１００を排水口ソケットから分離するとき、本体部１１０上に異物が多い場合には、折り曲げ部１２２が広がるようになり、ゴミ箱などに移す途中に、異物のうち一部または全部が本体部１１０から離脱されることもできるので、さらに好ましくは、後述する図２乃至図４による本発明の第２実施例乃至第４実施例のように、本体部に対して把持部が少なくとも２つ以上含まれることが好ましい。
【００４５】
図２は、本発明の第２実施例による異物濾過膜を示す平面図であり、図３は本発明の第３実施例による異物濾過膜を示す平面図である。
本発明の第２実施例及び第３実施例による異物濾過膜２００、３００は、前述した第１実施例による異物濾過膜１００の本体部１１０とは同一に構成され、第１実施例に対して変形された把持部２２０、２３０、３２０、３３０を含む。
【００４６】
まず、以下では、図２を参照して本発明の第２実施例による異物濾過膜２００を説明する。
本体部２１０は、液体を通過させる貫通ホール２１２と、本体部のフレームを維持する格子窓部２１１とで構成され、一対の把持部２２０、２３０は、本体部２１０の外周縁２１３に該当する格子窓部２１１の互いに対向する領域から延長し、本体部２１０の中心から反対方向に導出されて構成される。
【００４７】
本体部２１０の形状及び構成は、図１を参照して説明した第１実施例と同一なので、以下では、説明を省略する。
把持部２２０、２３０は、ユーザが把持するための把持領域２２１、２３１と、本体部２１０に対して折り曲げやすいように、切欠、溝またはホールなどで構成された折り曲げ部２２２、２３２と、折り曲げ部２２２、２３２を通じて折り曲げたとき、一対の把持部２２０、２３０を互いに締結するための締結部２２３、２３３とを含むことが好ましい。
【００４８】
また、把持部２２０、２３０の長さＬｗ２−１、Ｌｗ２−２は、締結部によって相互締結されることができるように、本体部２１０の幅Ｌｂ２の１／２倍より大きいことが好ましく、把持部２２０、２３０の長さのうち折り曲げ部２２２、２３２から締結部２２３、２３３までの長さが本体部２１０の幅Ｌｂ２の１／２倍より大きいかまたは同一に形成することがさらに好ましい。
【００４９】
本発明の一実施例による異物濾過膜２００を排水口ソケットに挿入して使用するとき、排水時に、または蛇口などから落下する水の衝撃または水の流れによって異物濾過膜が排水口ソケットでひっくり返ることを防止するために、把持部２２０、２３０の長さＬｗ２−１、Ｌｗ２−２は、排水口ソケットの内径より大きいか、または本体部２１０の幅Ｌｂ２より大きいことがさらに好ましい。
【００５０】
また、本発明の一実施例による異物濾過膜２００は、フィルム形態で構成されることによって、排水口ソケットの覆体によって把持部２２０、２３０が押圧されて曲がることができるので、把持部２２０、２３０の長さＬｗ２−１、Ｌｗ２−２は、排水口ソケットの深さより大きく形成することができるが、排水口ソケットの深さと排水口ソケットの内径の長さとを合わせた長さより大きい場合は、排水口ソケットの覆体を覆うとき、把持部２２０、２３０が曲げられることができるので、可能であれば、把持部２２０、２３０の長さＬｗ２−１、Ｌｗ２−２は、排水口ソケットの深さと排水口ソケットの内径の長さとを合わせた長さより小さいかまたは同一であることが好ましい。したがって、排水口ソケットの規格は、国家ごとに異なることができるが、一般的に排水口ソケットの深さが排水口ソケットの内径の長さと同様なので、把持部の長さＬｗ２−１、Ｌｗ２−２を本体部２１０の幅Ｌｂ２の２倍より小さいかまたは同一にあることが好ましい。
【００５１】
また、前記締結部２２３、２３３は、相互締結されるために、本体部２１０の中心に対して時計方向または反時計方向などに同一の方向に溝で構成されることが好ましい。
また、把持部２２０、２３０は、折り曲げ部２２２、２３２を利用して相互重なったとき、各々把持部２２０、２３０の把持領域２２１、２３１は、少なくとも一部が重畳されるように構成することによって、把持部２２０、２３０の締結部２２３、２３３を利用して相互締結したとき、締結力を強化させることによって、異物濾過膜２００の使用時に、上方から落下する流体の衝撃及び流体の流動によって締結が解除されないようにすることが好ましい。
【００５２】
したがって、把持部２２０、２３０各々の中心軸間の距離は、把持部２２０、２３０の幅より小さいかまたは同一に構成することが好ましい。
また、前記本体部２１０と把持部２２０、２３０は、その機能的特徴を区分して説明するために、各構成要素に区分して説明したが、１つのフィルムを加工して形成することによって、本体部２１０と把持部２２０、２３０が一体型で形成することがさらに好ましい。
【００５３】
以下、第２実施例において締結部の形状を一部変更した第３実施例を図３を参照して説明する。
本体部３１０は、液体を通過させる貫通ホール３１２と、本体部のフレームを維持する格子窓部３１１とで構成され、一対の把持部３２０、３３０は、本体部３１０の外周縁３１３に該当する格子窓部３１１の互いに対向する領域から延長し、本体部３１０の中心から反対方向に導出されて構成される。
【００５４】
本体部３１０の形状及び構成は、図１を参照して説明した第１実施例と同一なので、以下では説明を省略する。
把持部３２０、３３０は、ユーザが把持するための把持領域３２１、３３１と、本体部３１０に対して折り曲げやすいように、切欠、溝またはホールなどで構成された折り曲げ部３２２、３３２と、折り曲げ部３２２、３３２を通じて折り曲げたとき、一対の把持部３２０、３３０を互いに締結するための締結部３２３、３３３とを含むことが好ましい。
【００５５】
また、把持部３２０、３３０の長さＬｗ３−１、Ｌｗ３−２は、締結部によって相互締結されることができるように、本体部３１０の幅Ｌｂ３の１／２倍より大きいことが好ましく、把持部３２０、３３０の長さのうち折り曲げ部３２２、３３２から締結部３２３、３３３までの長さが本体部３１０の幅Ｌｂ３の１／２倍より大きいかまたは同一に形成することがさらに好ましい。
【００５６】
本発明の一実施例による異物濾過膜３００を排水口ソケットに挿入して使用するとき、排水時に、または蛇口などから落下する水の衝撃または水の流れによって異物濾過膜が排水口ソケットでひっくり返ることを防止するために、把持部３２０、３３０の長さＬｗ３−１、Ｌｗ３−２は、排水口ソケットの内径より大きいか、または本体部３１０の幅Ｌｂ３より大きいことがさらに好ましい。
【００５７】
また、本発明の一実施例による異物濾過膜３００は、フィルム形態で構成されることによって、排水口ソケットの覆体によって把持部３２０、３３０が押圧されて曲がることができるので、把持部３２０、３３０の長さＬｗ３−１、Ｌｗ３−２は、排水口ソケットの深さより大きく形成することができるが、排水口ソケットの深さと排水口ソケットの内径の長さとを合わせた長さより大きい場合は、排水口ソケットの覆体を覆うとき、把持部３２０、３３０が曲げられることができるので、可能であれば、把持部３２０、３３０の長さＬｗ３−１、Ｌｗ３−２は、排水口ソケットの深さと排水口ソケットの内径の長さとを合わせた長さより小さいかまたは同一であることが好ましい。したがって、排水口ソケットの規格は、国家ごとに異なることができるが、一般的に排水口ソケットの深さが排水口ソケットの内径の長さと同様なので、把持部の長さＬｗ３−１、Ｌｗ３−２を本体部３１０の幅Ｌｂ３の２倍より小さいかまたは同一にすることが好ましい。
【００５８】
また、前記締結部３２３、３３３は、相互締結されるために、本体部３１０の中心に対して時計方向または反時計方向などに同一の方向に把持部３２０、３３０の把持領域３２１、３３１から突出された突出部で構成されることが好ましい。
【００５９】
したがって、突出部で構成された締結部３２３、３３３は、相対的に広い面積を有しているので、製造社のロゴなどを印刷することができ、また、ユーザが把持部をさらに容易に把持することができるようにする長所がある。
【００６０】
また、把持部３２０、３３０は、折り曲げ部３２２、３３２を利用して相互重なったとき、各々把持部３２０、３３０の把持領域３２１、３３１は、少なくとも一部が重畳されるように構成することによって、把持部３２０、３３０の締結部３２３、３３３を利用して相互締結したとき、締結力を強化させることによって、異物濾過膜３００の使用時に、上方から落下する流体の衝撃及び流体の流動によって締結が解除されないようにすることが好ましい。
【００６１】
したがって、把持部３２０、３３０各々の中心軸間の距離は、把持部３２０、３３０の幅より小さいかまたは同一に構成することが好ましい。
また、前記本体部３１０と把持部３２０、３３０は、その機能的特徴を区分して説明するために各構成要素に区分して説明したが、１つのフィルムを加工して形成することによって、本体部３１０と把持部３２０、３３０が一体型で形成することがさらに好ましい。
【００６２】
また、図１乃至図３を参照して前述した第１実施例乃至第３実施例は、把持部が本体部に対して本体部の外周縁から外部に突出された構造となっているので、図９を参照して後述する製造工程において異物濾過膜製造用フィルム原板において、使用されない領域が多く発生することもできる。
【００６３】
したがって、図４を参照して後述する第４実施例による本発明の異物濾過膜は、把持部が本体部の外周縁に対して内部に含まれる構造となっているので、製造工程において異物濾過膜製造フィルム原板の使用されない領域を低減することができるので、他の実施例と言える。
【００６４】
以下、図４を参照して本発明の第４実施例による異物濾過膜４００を詳しく説明する。
本体部４１０は、液体を通過させる貫通ホール４１２と、本体部のフレームを維持する格子窓部４１１とで構成され、一対の把持部４２０、４３０は、本体部４１０の中心部分の所定の格子窓部４１１から延長し、外周縁４１３から離隔するように、本体部４１０の中心から互いに反対方向の本体部４１０の外周縁４１３方向に形成される。
【００６５】
この際、把持部４２０、４３０は、本体部４１０の中心から本体部４１０の半径に対する１／２の距離以内に存在する格子窓部４１１から延長することが好ましい。
また、把持部４２０、４３０は、ユーザが把持するための把持領域４２１、４３１と、本体部４１０に対して折り曲げやすいように、切欠、溝またはホールなどで構成された折り曲げ部４２２、４３２と、折り曲げ部４２２、４３２を通じて折り曲げたとき、一対の把持部４２０、４３０を互いに締結するための締結部４２３、４３３とを含むことが好ましい。
【００６６】
また、把持部４２０、４３０の長さは、本体部４１０の幅、すなわち本体部４１０の直径に対する１／２長さより小さいことが好ましい。
また、本体部４１０と連結された把持部４２０、４３０の反対側の端部は、本体部４１０の外周縁４１３に対応する格子窓部４１１から離隔し、また、把持部４２０、４３０は、折り曲げ部４２２、４３２の位置に対応する本体部４１０との連結部を除いて、残りの把持領域４２１、４３１は、本体部４１０の格子窓部４１１から離隔している。
【００６７】
また、前記締結部４２３、４３３は、相互締結されるために、本体部４１０の中心に対して時計方向または反時計方向などに同一の方向の把持部４２０、４３０に形成され、締結部４２３、４３３の形状は、図２を参照して説明した第２実施例のように、凹溝部で形成されてもよく、図３を参照して説明した第３実施例のように、突出部で形成されてもよい。本発明では、一実施例として、把持部の把持領域４２１、４３１から突出された突出部で構成した。
【００６８】
したがって、突出部で構成された締結部４２３、４３３は、相対的に広い面積を有しているので、製造社のロゴなどを印刷することができ、また、ユーザが把持部を一層容易に把持することができるようにする長所がある。
【００６９】
また、把持部４２０、４３０は、折り曲げ部４２２、４３２を利用して相互重なったとき、各々把持部４２０、４３０の把持領域４２１、４３１は、少なくとも一部が重畳されるように構成することによって、把持部４２０、４３０の締結部４２３、４３３を利用して相互締結したとき、締結力を強化させることによって、異物濾過膜４００の使用時に、上方から落下する流体の衝撃及び流体の流動によって締結が解除されないようにすることが好ましい。
【００７０】
したがって、把持部４２０、４３０各々の中心軸間の距離は、把持部４２０、４３０の幅より小さいかまたは同一に構成することが好ましい。
図５は、図３に示す本発明の第３実施例による異物濾過膜の把持部を締結した斜視図を示す図であり、図６は、図４に示す本発明の第４実施例による異物濾過膜の把持部を締結した斜視図を示す図である。
【００７１】
第１実施例及び第２実施例に関する斜視図を図示していないが、把持部の折り曲げ部を利用して把持部を本体部に対して折り曲げる方法が同一であり、特に第２実施例の場合は、把持部を本体部に対して折り曲げた後、把持部の締結部を通じて一対の把持部を締結する方法が同一であり、締結方法については、図１乃至図４と関連して説明したので、以下説明を省略する。
【００７２】
図７は、本発明による異物濾過膜を締結した後、浴槽用排水口ソケットに挿入する過程を示す。
ユーザは、図１乃至図４を参照して説明した本発明の様々な実施例による異物濾過膜を本体部に対して把持部を折り曲げ、締結部を利用して締結した後、浴槽３０００の排水口ソケット３１００に挿入して使用する。
【００７３】
ユーザがシャワーまたはお風呂を終えて、ユーザは、締結された異物濾過膜の把持部を把持し、異物濾過膜を排水口ソケット３１００から分離し、ゴミ箱などに捨てることによって、排水口ソケットに異物がかかっていないようにして、常に浴槽を清潔に維持することができ、またユーザが異物を除去するために、異物濾過膜の把持部を把持することができるので、異物に手が触れないようにすることができ、ユーザの不快感を除去することができるという効果がある。
【００７４】
また、本発明による異物濾過膜は、フィルム型で製造され、把持部が曲がることができるので、浴槽３０００でお風呂などのために排水口ソケット３１００の覆体を覆い、浴槽に水を満たして使用する場合において、排水口ソケット３１００の深さと覆体によって定義される排水口の高さより本発明の異物濾過膜の締結された高さを大きくすることができるので、ユーザが把持することが容易であるという長所がある。
【００７５】
図８は、本発明による異物濾過膜を複数に積層し、ケーシングし、使用しようとする排水口の近くに配置した後、異物濾過膜を一枚ずつ抜いて使用しやすいようにするための異物濾過膜の束及びそのケースを示す斜視図である。
【００７６】
異物濾過膜の束ケース１０００は、大きく、異物濾過膜の束の側面を支持するための側面支持部１１００と、異物濾過膜の束の上面を支持する上面支持部１３００と、異物濾過膜縛の下面を支持する下面支持部とに分けられる。
【００７７】
側面支持部１１００は、図８では円筒状に示すが、その形状は、四角柱状、五角柱状などの多様な形状に変形可能であり、但し、異物濾過膜の本体部が挿入されることができるように形成すれば良い。
【００７８】
また、側面支持部１１００は、図１乃至図３を参照して説明した本発明の第１実施例乃至第３実施例による異物濾過膜のように、把持部が本体部から外部に突出された構造の場合において、把持部を保持するための把持部保持ホール１２００をさらに含むことができ、図４を参照して説明した本発明の第４実施例による異物濾過膜の束を使用する場合は、把持部保持ホール１２００を含まない。
【００７９】
また、上面支持部１３００は、ケース１０００から異物濾過膜３００を一枚ずつ抜くことができるように、ケース１０００を上部から見たとき、角部間の最大距離より小さく形成する。すなわちケース１０００が円筒状である場合は、円筒の断面である円の中心を通る直径より小さく形成し、円の中心を上面支持部１３００が覆わないようにする。
【００８０】
したがって、上面支持部１３００は、ケース１０００の円筒断面である円に対して半円より小さい面積で形成することが好ましい。
図９は、本発明の実施例による異物濾過膜を製作するための異物濾過膜の製造装置を示す図である。
【００８１】
本発明の一実施例による異物濾過膜の製造装置は、異物濾過膜の本体部に含まれた貫通ホールを形成するための雄パート２１１０及び雌パート２１２０を一対として含む第１プレス２１１０、２１２０と、異物濾過膜の外周縁を含む外形を形成するための雄パート２２１０及び雌パート２２２０を一対として含む第２プレス２２１０、２２２０とを含む。
【００８２】
すなわち貫通ホールを形成する第１工程では、第１プレスに供給されるフィルムを第１プレスの雄パート２１１０の胴体２１１１に形成された突起部２１１２と雌パート２１２０の胴体２１２１に形成された凹部２１２２とが一対として噛合するようにして、投入されるフィルムに突起部２１１２及び凹部２１２２に対応する領域に貫通ホールを形成する。
【００８３】
異物濾過膜の外形を形成する第２工程では、前記第１工程以後に貫通ホールが形成されたフィルムを第２プレスに供給し、第２プレスの雄パート２２１０の胴体２２１１に形成された突起部２２１２と雌パート２２２０の胴体２２２１に形成された凹部２２２２とが一対として噛合するようにして、投入された貫通ホールが形成されたフィルムに突起部２２１２及び凹部２２２２に対応する領域に異物濾過膜の外形を形成することによって、異物濾過膜を製造する。
【００８４】
また、第２工程では、第２プレスの雄パート２２１０の突起部２２１２及び雌パート２２２０の凹部２２２２は、異物濾過膜の本体部の外周縁に対応する円形と、把持部に対応する胴体部の外周縁から延長した領域を含む異物濾過膜の外形に対応するように形成する。
【００８５】
また、第１プレスの凹部２１２２及び第２プレスの凹部２２２２は、凹溝の形態であってもよく、プレス胴体に対する貫通ホールの形態であってもよい。
また、第１プレス及び第２プレスの雄パート２１１０、２２１０と雌パート２１２０、２２２０の相対運動は、各々の雄パートの胴体２１１１、２２１１と雌パートの胴体２１２１、２２２１との間に回転ヒンジを利用して回転する相対運動を行うことができ、また、スライディングヒンジなどで構成し、スライディングする相対運動を行うこともできる。
【００８６】
図１０は、本発明の他の実施例による異物濾過膜を製作するための異物濾過膜の製造装置を示す図であって、図４を参照して説明した本発明の第４実施例による異物濾過膜を製造するための製造装置である。
【００８７】
把持部に対応する領域を除いては図９を参照して説明した製造装置と同一である。
本発明の他の実施例による異物濾過膜の製造装置は、異物濾過膜の本体部に含まれた貫通ホールを形成するための雄パート２３１０と雌パート２３２０を一対として含む第１プレス２３１０、２３２０と、異物濾過膜の外周縁を含む外形を形成するための雄パート２４１０と雌パート２４２０を一対として含む第２プレス２４１０、２４２０とを含む。
【００８８】
すなわち貫通ホールを形成する第１工程では、第１プレスに供給されるフィルムを第１プレスの雄パート２３１０の胴体２３１１に形成された突起部２３１２と雌パート２３２０の胴体２３２１に形成された凹部２３２２とが一対として噛合するようにして、投入されるフィルムに突起部２３１２及び凹部２３２２に対応する領域に貫通ホールを形成する。
【００８９】
異物濾過膜の外形を形成する第２工程では、前記第１工程以後に貫通ホールが形成されたフィルムを第２プレスに供給し、第２プレスの雄パート２４１０の胴体２４１１に形成された突起部２４１２と雌パート２４２０の胴体２４２１に形成された凹部２４２２とが一対として噛合するようにして、投入された貫通ホールが形成されたフィルムに突起部２４１２及び凹部２４２２に対応する領域に異物濾過膜の外形を形成することによって、異物濾過膜を製造する。
【００９０】
また、第１工程で、第１プレスの雄パート２３１０の突起部２３１２及び雌パート２３２０の凹部２３２２は、異物濾過膜の本体部の外周縁の内側に形成された把持部に対応する領域２３１３、２３２３をさらに含む。
【００９１】
また、第２工程では、第２プレスの雄パート２４１０の突起部２４１２及び雌パート２４２０の凹部２４２２は、異物濾過膜の本体部の外周縁に対応するように形成する。
また、第１プレスの凹部２３２２及び第２プレスの凹部２４２２は、凹溝の形態であってもよく、プレスの胴体に対する貫通ホールの形態であってもよい。
【００９２】
また、第１プレス及び第２プレスの雄パート２３１０、２４１０と雌パート２３２０、２４２０の相対運動は、各々の雄パートの胴体２３１１、２４１１と雌パートの胴体２３２１、２４２１との間に回転ヒンジを利用して回転する相対運動を行うことができ、また、スライディングヒンジなどで構成し、スライディングする相対運動を行うこともできる。
【図１】
2011514460.tif 000003
【図２】
2011514460.tif 000004
【図３】
2011514460.tif 000005
【図４】
2011514460.tif 000006
【図５】
2011514460.tif 000007
【図６】
2011514460.tif 000008
【図７】
2011514460.tif 000009
【図８】
2011514460.tif 000010
【図９】
2011514460.tif 000011
【図１０】
2011514460.tif 000012
【国際調査報告】
2011514460.tif 000013
2011514460.tif 000014
2011514460.tif 000015
2011514460.tif 000016
2011514460.tif 000017
2011514460.tif 000018